(57)【特許請求の範囲】
【請求項１】
ミラーセラピーを行う段ボール製ミラーボックスであって、
底壁、背面壁、左側面壁、右側面壁を有した本体部と、
前記本体部の上部に被せるように取付け可能、かつ取外しが可能で、側面部を全周囲に有した上蓋と、
前記上蓋を前記本体部の上部に取付けたときに、鏡面が斜め上方を向き前記上蓋から前記底壁まで垂直線に対して所定の傾斜角を有して正面視で斜めに設けられる鏡と、
前記底壁に設けられ、前記左側面壁又は前記右側面壁に略平行に前記鏡の下端を係止可能な底壁係止部と、
前記上蓋に設けられ、前記鏡における鏡面の反対面を支持する鏡支持部と、を備え、
前記本体部における前記鏡の鏡面側の空間に正面側から挿入した健肢を前記上蓋側から前記鏡の鏡面に映った前記健肢を視認してミラーセラピーを実施可能であることを特徴とする段ボール製ミラーボックス。
【請求項２】
前記本体部の上部に取付けられた前記上蓋は、一度取外した後、水平方向に１８０度回転して前記本体部の上部に取付けることが可能であり、
前記上蓋を前記本体部から一度取外した後、水平方向に１８０度回転して取付けることで、左手用ミラーセラピーから右手用ミラーセラピーに、又は右手用ミラーセラピーから左手用ミラーセラピーに変更できることを特徴とする請求項１に記載の段ボール製ミラーボックス。
【請求項３】
前記本体部における前記背面壁に対向する全面が正面側は開放され、前記底壁、前記左側面壁、及び前記右側面壁の正面側端部における段ボールは逆方向に折り曲げられていることを特徴とする請求項１又は２に記載の段ボール製ミラーボックス。
【請求項４】
前記鏡の前記傾斜角を調整可能な鏡角度調整部を備えたことを特徴とする請求項１−３のいずれかに記載の段ボール製ミラーボックス。
【請求項５】
輸送時等に前記本体部は分解されて前記上蓋の前記側面部内に収納することが可能であることを特徴とする請求項１−４のいずれかに記載の段ボール製ミラーボックス。
【請求項６】
当該段ボール製ミラーボックスの背面側を高くして傾斜させる傾斜部材を備えたことを特徴とする請求項１―５のいずれかに記載の段ボール製ミラーボックス。
【請求項７】
段ボール製ミラーボックスを用いたミラーセラピー方法であって、
底壁、背面壁、左側面壁、右側面壁を有した本体部と、前記本体部の上部に被せるように取付け可能、かつ取外しが可能で、側面部を全周囲に有した上蓋と、前記上蓋を前記本体部の上部に取付けたときに、鏡面が斜め上方を向き前記上蓋から前記底壁まで垂直線に対して所定の傾斜角を有して正面視で斜めに設けられる鏡と、前記底壁に設けられ、前記左側面壁又は前記右側面壁に略平行に前記鏡の下端を係止可能な底壁係止部と、前記上蓋に設けられ、前記鏡における鏡面の反対面を支持する鏡支持部と、を備え、前記本体部における前記鏡の鏡面側の空間に正面側から挿入した健肢を前記上蓋側から前記鏡の鏡面に映った前記健肢を視認してミラーセラピーを実施可能であることを特徴とする段ボール製ミラーボックスを組立て、
前記本体部における前記鏡の鏡面側の空間に正面側から健肢である手を挿入し、
前記本体部における前記鏡の鏡面側とは反対側の空間に正面側から麻痺が残っている手を挿入し、
前記上蓋側から前記鏡の鏡面に映った前記健肢を視認しながら健肢である手や指を動かす動作を繰り返すことでミラーセラピーを行うことを特徴とする段ボール製ミラーボックスを用いたミラーセラピー方法。
【発明の詳細な説明】
【技術分野】
【０００１】
本発明は、手に麻痺が残っている患者に対しリハビリを行うための段ボール製ミラーボックスに関するものである。
【背景技術】
【０００２】
脳卒中等で手に麻痺が残っている患者に対して、鏡に映った健肢を幻肢に見せかけて幻肢痛治療（「ミラーセラピー」と呼ばれる。）することが行われている。
【０００３】
特許文献１には、カメラで映した健肢画像をあたかも麻痺のある手のように見せる幻肢画像をヘッドマウントディスプレイで見せて治療を行う構成が記載されている。
【先行技術文献】
【特許文献】
【０００４】
特許文献１：特開２０１５−１６１６９９号公報
【発明の概要】
【発明が解決しようとする課題】
【０００５】
しかしながら、特許文献１に記載のものは、ヘッドマウントディスプレイやカメラ等に費用がかかるとともに、セッティングに手間がかかるという問題があった。
【０００６】
本発明は、上記問題点を解決して、低コストで手軽にミラーセラピーを行うことができることを課題とする。
【課題を解決するための手段】
【０００７】
上記課題を解決するために本発明は、ミラーセラピーを行う段ボール製ミラーボックスであって、
底壁、背面壁、左側面壁、右側面壁を有した本体部と、
前記本体部の上部に被せるように取付け可能、かつ取外しが可能で、側面部を全周囲に有した上蓋と、
前記上蓋を前記本体部の上部に取付けたときに、鏡面が斜め上方を向き前記上蓋から前記底壁まで垂直線に対して所定の傾斜角を有して正面視で斜めに設けられる鏡と、
前記底壁に設けられ、前記左側面壁又は前記右側面壁に略平行に前記鏡の下端を係止可能な底壁係止部と、
前記上蓋に設けられ、前記鏡における鏡面の反対面を支持する鏡支持部と、を備え、
前記本体部における前記鏡の鏡面側の空間に正面側から挿入した健肢を前記上蓋側から前記鏡の鏡面に映った前記健肢を視認してミラーセラピーを実施可能であることを特徴とする段ボール製ミラーボックスを提供するものである。
【０００８】
この構成により、段ボールを用いることで、低コストで手軽にミラーセラピーを行うことができる。
【０００９】
段ボール製ミラーボックスであって、前記本体部の上部に取付けられた前記上蓋は、一度取外した後、水平方向に１８０度回転して前記本体部の上部に取付けることが可能であり、
前記上蓋を前記本体部から一度取外した後、水平方向に１８０度回転して取付けることで、左手用ミラーセラピーから右手用ミラーセラピーに、又は右手用ミラーセラピーから左手用ミラーセラピーに変更できる構成としてもよい。
【００１０】
この構成により、上蓋を一度取外して、水平方向に１８０°回転して再度本体部に取付けることで麻痺の残る手が左手であっても右手であっても一つの段ボール製ミラーボックスで容易に対応できる。ここで、左手用ミラーセラピーとは、左手に麻痺が残っている場合のリハビリ用であり、右手用ミラーセラピーとは、右手に麻痺が残っている場合のリハビリ用である。
【００１１】
段ボール製ミラーボックスであって、前記本体部における前記背面壁に対向する正面側は全面が開放され、前記底壁、前記左側面壁、及び前記右側面壁の正面側端部における段ボールは逆方向に折り曲げられている構成としてもよい。
【００１２】
この構成により、段ボールの端部で手を切ったりして傷つけることがない。
【００１３】
段ボール製ミラーボックスであって、前記鏡の前記傾斜角を調整可能な鏡角度調整部を備えた構成としてもよい。
【００１４】
この構成により、鏡の鏡面に映る健肢の視認位置を調整することができる。
【００１５】
段ボール製ミラーボックスであって、輸送時等に前記本体部は分解されて前記上蓋の前記側面部内に収納することが可能である構成としてもよい。
【００１６】
この構成により、コンパクトに梱包して輸送することができる。
【００１７】
段ボール製ミラーボックスであって、当該段ボール製ミラーボックスの背面側を高くして傾斜させる傾斜部材を備えた構成としてもよい。
【００１８】
この構成により、鏡の鏡面に映る健肢を見やすくできる。
【００１９】
また、上記課題を解決するために本発明は、段ボール製ミラーボックスを用いたミラーセラピー方法であって、
底壁、背面壁、左側面壁、右側面壁を有した本体部と、前記本体部の上部に被せるように取付け可能、かつ取外しが可能で、側面部を全周囲に有した上蓋と、前記上蓋を前記本体部の上部に取付けたときに、鏡面が斜め上方を向き前記上蓋から前記底壁まで垂直線に対して所定の傾斜角を有して正面視で斜めに設けられる鏡と、前記底壁に設けられ、前記左側面壁又は前記右側面壁に略平行に前記鏡の下端を係止可能な底壁係止部と、前記上蓋に設けられ、前記鏡における鏡面の反対面を支持する鏡支持部と、を備え、前記本体部における前記鏡の鏡面側の空間に正面側から挿入した健肢を前記上蓋側から前記鏡の鏡面に映った前記健肢を視認してミラーセラピーを実施可能であることを特徴とする段ボール製ミラーボックスを組立て、
前記本体部における前記鏡の鏡面側の空間に正面側から健肢である手を挿入し、
前記本体部における前記鏡の鏡面側とは反対側の空間に正面側から麻痺が残っている手を挿入し、
前記上蓋側から前記鏡の鏡面に映った前記健肢を視認しながら健肢である手や指を動かす動作を繰り返すことでミラーセラピーを行うことを特徴とする段ボール製ミラーボックスを用いたミラーセラピー方法を提供するものである。
【００２０】
この構成により、段ボールを用いることで、低コストで手軽にミラーセラピーを行うことができる。
【発明の効果】
【００２１】
本発明の段ボール製ミラーボックスにより、低コストで手軽にミラーセラピーを行うことができる。
【図面の簡単な説明】
【００２２】
【図１】本発明の実施例１における段ボール製ミラーボックスの斜視図である。
【図２】本発明の実施例１における段ボール製ミラーボックスの正面図である。
【図３】本発明の実施例１における段ボール製ミラーボックスの上面図である。
【図４】本発明の実施例１における段ボール製ミラーボックスの左側面図である。
【図５】本発明の実施例１における段ボール製ミラーボックスの右側面図である。
【図６】本発明の実施例１における段ボール製ミラーボックスの底面図である。
【図７】本発明の実施例１における上蓋の斜視図である。
【図８】本発明の実施例２における段ボール製ミラーボックスの正面図である。
【図９】本発明の実施例３における段ボール製ミラーボックスの正面図である。
【図１０】本発明の実施例４における段ボール製ミラーボックスの左側面図である。
【発明を実施するための形態】
【実施例１】
【００２３】
本発明の実施例１について、図１〜図７を参照して説明する。図１は、本発明の実施例１における段ボール製ミラーボックスの斜視図である。図２は、本発明の実施例１における段ボール製ミラーボックスの正面図である。図３は、本発明の実施例１における段ボール製ミラーボックスの上面図である。図４は、本発明の実施例１における段ボール製ミラーボックスの左側面図である。図５は、本発明の実施例１における段ボール製ミラーボックスの右側面図である。図６は、本発明の実施例１における段ボール製ミラーボックスの底面図である。図７は、本発明の実施例１における上蓋の斜視図である。
【００２４】
（段ボール製ミラーボックス）
本願においては、図１〜図１０に示す＋ｘ方向を右側、又は右側面側、―ｘ方向を左側、又は左側面側、＋ｚ方向を上方、上側又は上部、―ｚ方向を下方、下側又は下部、＋ｙ方向を奥側、背面側、又は奥行方向、―ｙ方向を手前側、又は正面側ろ呼ぶ。
【００２５】
実施例１における段ボール製ミラーボックス１００は、底壁２１、背面壁２２、左側面壁２３、右側面壁２４を有した本体部２０と、本体部２０の上部に被せるように取付け可能、かつ取外しが可能で、側面部を全周囲に有した上蓋１０と、鏡面３１が斜め上方を向き上方から視認できるように前記上蓋から前記底壁まで垂直線（ｚ軸線）に対して所定の傾斜角φ１を有して正面視で斜めに設けられる鏡３０と、底壁２１に設けられ、左側面壁２３又は右側面壁２４に略平行に鏡３０を係止可能な長孔からなる底壁係止部２５（２５ａ、２５ｂ）と、上蓋１０に設けられ、鏡３０を支持する鏡支持部１１と、を備えている。実施例１における本体部２０は、ｘ方向が約６５ｃｍ、ｙ方向が約２６ｃｍ、ｚ方向が約１９ｃｍの大きさを有し、上蓋１０は、ｘ方向が約７５ｃｍ、ｙ方向が約２８ｃｍ、ｚ方向の側面部が約５ｃｍの大きさを有した段ボール製である。また、鏡３０は任意の大きさの鏡を用いることができるが、実施例１においては、約２６ｃｍ×約２２ｃｍである。
【００２６】
本体部２０における背面壁２２に対向する正面側（―ｙ側）は全面が開放されている。また、段ボールの端部で手を切ったりして傷つけないように、底壁２１、左側面壁２３、及び右側面壁２４の正面側（―ｙ側）端部における段ボールは背面側（逆側）に折り曲げられて両面テープで接着されている。
【００２７】
上蓋１０は、天面と、天面が正面側、背面側、左側面側、及び右側面側に折り曲げられて所定長さ（実施例１においては、約５ｃｍ。）の側面部を有している。また、上蓋１０の天面における略中央部には、図７に示すように、切断線１２と折り曲げ線１３が設けられており、切断線１２に沿って切断して折り曲げ線１３で下方（―ｚ方向）に折り曲げることができる。このように上蓋１０の略中央部を折り曲げることで、鏡３０を支持する鏡支持部１１とすることができるとともに、上方から上蓋１０内、すなわち本体部２０の鏡面３１に映るものを視認することができる。折り曲げられた鏡支持部１１は、底壁２１の底壁係止部２５（２５ａ、又は２５ｂ）で鏡３０とともに係止されるが、その際に鏡支持部１１が長すぎれば先端（折り曲げ線１３の反対方向の端部）を必要な長さだけ切断してもよい。
【００２８】
底壁係止部２５（２５ａ、２５ｂ）を長孔で構成している。底壁係止部２５ａは、鏡３０を右上から左下に正面視で斜めに設けるときの係止部で、底壁係止部２５ｂは、鏡３０を左上から右下に正面視で斜めに設けるときの係止部である。なお、実施例１においては、底壁係止部２５を長孔で構成したが、必ずしもこれに限定されず適宜変更が可能である。例えば、突起部で構成してもよいし、底壁２１に接着可能な接着部で構成してもよい。
【００２９】
また、実施例１においては、鏡支持部１１は上蓋１０を下方に折り曲げて構成したが、必ずしもこれに限定されず適宜変更が可能である。例えば、上蓋１０を上方に折り曲げて構成してもよいし、上蓋１０に設けた長孔で構成してもよいし、底壁２１を上方に折り曲げて構成してもよく、鏡３０を支持することが可能な方法を採用することができる。
さらに、鏡支持部１１と鏡３０の鏡面３１とは反対側の面とを接着して固定するようにしてもよい。
【００３０】
図１、図２に示すように、鏡３０が鏡支持部１１に支持されて、上蓋１０から底壁２１まで垂直線に対して所定の傾斜角φ１を有して正面視で斜めに設けると、右手のミラーセラピーを行うことができる。すなわち、健肢である左手を鏡面側の空間である健肢側空間６０に正面側から本体部２０内に挿入し、麻痺の残った右手を鏡面側とは反対側の空間である麻痺側空間６１に正面側から本体部２０内に挿入する。そして、健肢である左手を握ったり離したりする握る動作や指を動かす動作を繰り返す。すると、鏡面３１に映る左手の動作を上蓋１０の上方からみると、左手が反転して映るので、あたかも麻痺の残る右手が握る動作や指を動かす動作を繰り返しているようにみえる。これを脳が錯覚して麻痺の残り右手に握る動作や指を動かす動作をするように信号を出そうとする。この動作を繰り返すことにより、次第に右手が動くようになる効果が得られる。ミラーセラピーとは、このように、脳卒中等で手に麻痺が残っている患者に対して、鏡に映った健肢を幻肢に見せかけて幻肢痛治療することである。
【００３１】
また、顧客に輸送するとき等には、本体部２０は接着されない状態に折り畳まれ、鏡３０とともに上蓋１０の側面部内に収納して輸送される。これにより、コンパクトに梱包して輸送することができる。顧客においては、段ボール製であるので、容易に組立てることができる。
【００３２】
（段ボール製ミラーボックスを用いたミラーセラピー方法）
次に、段ボール製ミラーボックスを用いたミラーセラピー方法について説明する。
まず、輸送されて上蓋１０の側面部内に収納された段ボール類を取出し、上述の段ボール製ミラーボックス１００を組立てる。その際、底壁２１、左側面壁２３、及び右側面壁２４の正面側（―ｙ側）端部における段ボールは背面側（逆側）に折り曲げて両面テープで接着する。また、上蓋１０の切断線１２に沿って切断して折り曲げ線１３で下方（―ｚ方向）に折り曲げて鏡支持部１１を形成した後、上蓋１０を本体部２０に被せるように取付ける。最後に、鏡３０を鏡支持部１１と底壁支持部２５に支持されるように鏡３０を取付ける。その際、後述のように、麻痺の残る手が左手の場合は、麻痺側空間６１を左、健肢側空間６０を右になるように上蓋１０を取付ける。
【００３３】
麻痺の残る手が右手である場合、健肢である左手を本体部２０における鏡３０の鏡面３１側の空間である健肢側空間６０に挿入し、麻痺の残っている右手を本体部２０における鏡３０の鏡面３１側と反対側の空間である麻痺側空間６１に挿入する。そして、健肢である左手を握ったり離したりする握る動作や指を動かす動作を繰り返す。すると、鏡面３１に映る左手の動作を上蓋１０の上方からみると、左手が反転して映るので、あたかも麻痺の残る右手が握る動作や指を動かす動作を繰り返しているようにみえる。これを脳が錯覚して麻痺の残る右手に握る動作や指を動かす動作をするように信号を出そうとする。この動作を繰り返すことにより、次第に右手が動くようになる効果が得られる。
【００３４】
このように、実施例１においては、ミラーセラピーを行う段ボール製ミラーボックスであって、
底壁、背面壁、左側面壁、右側面壁を有した本体部と、
前記本体部の上部に被せるように取付け可能、かつ取外しが可能で、側面部を全周囲に有した上蓋と、
前記上蓋を前記本体部の上部に取付けたときに、鏡面が斜め上方を向き前記上蓋から前記底壁まで垂直線に対して所定の傾斜角を有して正面視で斜めに設けられる鏡と、
前記底蓋に設けられ、前記左側面壁又は前記右側面壁に略平行に前記鏡を係止可能な底壁係止部と、
前記鏡を支持する鏡支持部と、を備え、
前記本体部における前記鏡の鏡面側の空間に正面側から挿入した健肢を前記上蓋側から前記鏡の鏡面に映った前記健肢を視認してミラーセラピーを実施可能であることを特徴とする段ボール製ミラーボックスにより、段ボールを用いることで、低コストで手軽にミラーセラピーを行うことができる。
【００３５】
また、実施例１においては、段ボール製ミラーボックスを用いたミラーセラピー方法であって、
底壁、背面壁、左側面壁、右側面壁を有した本体部と、前記本体部の上部に被せるように取付け可能、かつ取外しが可能で、側面部を全周囲に有した上蓋と、前記上蓋を前記本体部の上部に取付けたときに、鏡面が斜め上方を向き前記上蓋から前記底壁まで垂直線に対して所定の傾斜角を有して正面視で斜めに設けられる鏡と、前記底蓋に設けられ、前記左側面壁又は前記右側面壁に略平行に前記鏡を係止可能な底壁係止部と、前記鏡を支持する鏡支持部と、を備え、前記本体部における前記鏡の鏡面側の空間に正面側から挿入した健肢を前記上蓋側から前記鏡の鏡面に映った前記健肢を視認してミラーセラピーを実施可能であることを特徴とする段ボール製ミラーボックスを組立て、
前記本体部における前記鏡の鏡面側の空間に正面側から健肢である手を挿入し、
前記本体部における前記鏡の鏡面側とは反対側の空間に正面側から麻痺が残っている手を挿入し、
前記上蓋側から前記鏡の鏡面に映った前記健肢を視認しながら健肢である手や指を動かす動作を繰り返すことでミラーセラピーを行うことを特徴とする段ボール製ミラーボックスを用いたミラーセラピー方法により、段ボールを用いることで、容易に組立てることができ、また低コストで手軽にミラーセラピーを行うことができる。
【実施例２】
【００３６】
本発明の実施例２は、実施例１に対して、本体部２０に対する上蓋１０の取付けを水平方向に１８０°回転させて取付けた点で実施例１と異なる。本発明の実施例２について、図８を参照して説明する。図８は、本発明の実施例２における段ボール製ミラーボックスの正面図である。
【００３７】
実施例２における段ボール製ミラーボックス２００は、上蓋１０の折り曲げ線１３が左側面壁２３側に位置して本体部２０に取り付けられており、その結果、鏡３０は、正面視で上蓋１０の左上から底壁２１の右下にかけて斜めに設けられ、鏡面３１側の空間である健肢側空間６０は正面視で右側に位置し、鏡面３１とは反対側の空間である麻痺側空間６１は正面視で左側に位置している。
【００３８】
実施例２における段ボール製ミラーボックスを用いたミラーセラピー方法は、まず、上述の段ボール製ミラーボックス２００を準備する、次に、健肢である右手を本体部２０における鏡３０の鏡面３１側の空間である健肢側空間６０に挿入し、麻痺の残っている左手を本体部２０における鏡３０の鏡面３１側と反対側の空間である麻痺側空間６１に挿入する。そして、健肢である右手を握ったり離したりする握る動作や指を動かす動作を繰り返す。すると、鏡面３１に映る右手の動作を上蓋１０の上方からみると、右手が反転して映るので、あたかも麻痺の残る左手が握る動作や指を動かす動作を繰り返しているようにみえる。これを脳が錯覚して麻痺の残り左手に握る動作や指を動かす動作をするように信号を出そうとする。この動作を繰り返すことにより、次第に右手が動くようになる効果が得られる。
【００３９】
このように、実施例２においては、前記本体部の上部に取付けられた前記上蓋は、一度取外した後、水平方向に１８０度回転して前記本体部の上部に取付けることが可能であり、
前記上蓋を前記本体部から一度取外した後、水平方向に１８０度回転して取付けることで、左手用ミラーセラピーから右手用ミラーセラピーに、又は右手用ミラーセラピーから左手用ミラーセラピーに変更できることで、上蓋を一度取り外して、水平方向に１８０°回転して再度本体部に取り付けることで麻痺の残る手が左手であっても右手であっても一つの段ボール製ミラーボックスで容易に対応できる。
【実施例３】
【００４０】
本発明の実施例３は、鏡３０の傾斜角をφ１からφ２に変更した点で実施例１又は実施例２と異なっている。本発明の実施例３について図９を参照して説明する。図９は、本発明の実施例３における段ボール製ミラーボックスの正面図である。
【００４１】
実施例３における段ボール製ミラーボックス３００は、鏡角度調整部４０を備えている。鏡角度調整部４０は、段ボール製の平板であって、本体部２０の奥行方向（ｙ方向）の内寸にほぼ等しい長さを有し、幅方向（ｘ方向）においては左側面壁２３から底壁支持部２５ａまでの距離よりも短い長さを有している。
【００４２】
この鏡角度調整部４０を左側面壁２３に沿って底壁２１の上に敷き、鏡３０の下端部を鏡角度調整部４０の右側（ｘ方向）端部に突き当てて設置する。これで、鏡３０の傾斜角をφ１よりも大きいφ２に変更することができ、鏡面３１を上方から視たときの位置を変更することができる。
【００４３】
また、鏡角度調整部４０の幅方向の長さをさらに短くすることにより、鏡３０の傾斜角をさらに大きくすることができる。このように、鏡角度調整部４０の幅方向の長さを調整することにより、鏡３０の傾斜角を調整可能とすることができる。
【００４４】
図９の構成は、健肢である左手を左側の空間に挿入し、麻痺の残る右手を右側の空間に挿入する場合の図であるが、左手に麻痺が残っている場合は実施例２のように、上蓋１０を一度取り外して水平方向に１８０°回転させて再度本体部２０に取り付ければよい。
【００４５】
なお、実施例３においては、鏡角度調整部４０を平板で構成したが、必ずしもこれに限定されず適宜変更が可能である。例えば、鏡角度調整部を底壁に設けた複数の長孔、又は底壁に設けた複数の突起で構成して、任意の長孔又は突起に鏡を係止するようにしてもよい。
【００４６】
このように、実施例３においては、前記鏡の前記傾斜角を調整可能な鏡角度調整部を備えたことで、鏡の鏡面に映る健肢の視認位置を調整することができる。
【実施例４】
【００４７】
本発明の実施例４は、傾斜部材を備えて、当該段ボール製ミラーボックスの背面側を高くして傾斜させる点で実施例１〜３と異なっている。本発明の実施例４について、図１０を参照して説明する。図１０は、本発明の実施例４における段ボール製ミラーボックスの左側面図である。
【００４８】
実施例４における段ボール製ミラーボックス４００は、傾斜部材５０を備えている。傾斜部材５０は、段ボール製で断面三角形になるように曲げて端部が接着されている。傾斜部材５０の幅方向（ｘ方向）の長さは本体部２０の正面視幅方向の長さとほぼ同じであり、本体部２０の底壁２１の奥行方向（ｙ方向）の長さとほぼ同じ長さの一辺を有している。この一辺の上に本体部２０を載せれば、当該段ボール製ミラーボックス４００は、手前側（―ｙ側）よりも奥側（＋ｙ側）が接地面と底壁２１との角度θを有して高くなる。これにより、顔をあまり段ボール製ミラーボックス４００に近づけなくても上方から鏡面３１を見やすくすることができる。また、傾斜部材５０の上面を本体部２０の底面に両面テープ等で接着してもよい。これにより、本体部２０が意図に反して移動することを防止できる。
【００４９】
実施例４における角度θは約２５°であるが、必ずしもこれに限定されず適宜変更が可能である。例えば、３０°としてもよいし２０°としてもよく、顔をあまり段ボール製ミラーボックス４００に近づけなくても上方から鏡面３１を見やすくなればよい。
【００５０】
また、実施例４においては、本体部２０に加えて傾斜部５０も折り畳まれ、鏡３０とともに上蓋１０の側面部内に収納して輸送される。これにより、コンパクトに梱包して顧客に対して輸送することができる。顧客においては、段ボール製であるので、容易に組立てることができる。
【００５１】
なお、実施例４においては、傾斜部材は、段ボール製で断面三角形になるように曲げて端部が接着された構成としたが、必ずしもこれに限定されず適宜変更が可能である。例えば、筒状の部材を本体部２０の底壁２１の奥行方向端部付近に設けるようにしてもよい。
【００５２】
このように、実施例４においては、当該段ボール製ミラーボックスの背面側を高くして傾斜させる傾斜部材を備えたことで、鏡の鏡面に映る健肢を見やすくできる。
【産業上の利用可能性】
【００５３】
本発明の段ボール製ミラーボックス、及び段ボール製ミラーボックスを用いたミラーセラピー方法は、麻痺が残った手のミラーセラピー分野に広く用いることができる。
【符号の説明】
【００５４】
１０：上蓋    １１：鏡支持部    
１２：破断線    １３：折り曲げ線    
２０：本体部    
２１：底壁    ２２：背面壁    ２３：左側面壁    ２４：右側面壁    
２５（２５ａ、２５ｂ）：底壁支持部    
３０：鏡    ３１：鏡面    
４０：鏡角度調整部    
５０：傾斜部材    
６０：健肢側空間    ６１：麻痺側空間    
１００：段ボール製ミラーボックス    
２００：段ボール製ミラーボックス    
３００：段ボール製ミラーボックス    
４００：段ボール製ミラーボックス    
【要約】
【課題】低コストで手軽にミラーセラピーを行うことができることを課題とする。
【解決手段】
底壁、背面壁、左側面壁、右側面壁を有した本体部と、本体部の上部に被せるように取付け可能、かつ取外しが可能で、側面部を全周囲に有した上蓋と、上蓋を本体部の上部に取付けたときに、鏡面が斜め上方を向き上蓋から底壁まで垂直線に対して所定の傾斜角を有して正面視で斜めに設けられる鏡と、底蓋に設けられ、左側面壁又は右側面壁に略平行に鏡を係止可能な底壁係止部と、鏡を支持する鏡支持部と、を備え、本体部における鏡の鏡面側の空間に正面側から挿入した健肢を上蓋側から鏡の鏡面に映った健肢を視認してミラーセラピーを実施可能であることを特徴とする段ボール製ミラーボックスとした。
【選択図】図１【図１】
0006986725.tif 000002
【図２】
0006986725.tif 000003
【図３】
0006986725.tif 000004
【図４】
0006986725.tif 000005
【図５】
0006986725.tif 000006
【図６】
0006986725.tif 000007
【図７】
0006986725.tif 000008
【図８】
0006986725.tif 000009
【図９】
0006986725.tif 000010
【図１０】
0006986725.tif 000011